(57)【要約】      （修正有）【課題】低消費電力モードをサポートできるカラーシーケンシャル方式ディスプレイを提供する。【解決手段】低電力モードではないとき（Ａ）には、第１のフレーム時間ＦＴ１は３個の期間ＴＡ１，ＴＡ２、ＴＡ３に分割され、赤色データＲ１、緑色データＧ１、青色データＢ１の順に表示され、第２のフレーム時間ＦＴ２では、青色データＢ２、緑色データＧ２、赤色データＲ２の如く、第１のフレーム時間とは異なる順序で駆動する。低電力モードであるとき（Ｂ）には、ＲＧＢ領域における画像データをＹＵＶデータに変換してＹ成分を輝度データとして使用し、第１のフレーム時間ＦＴ１の書込み期間Ｙ１Ｗに全画素に輝度データを書込み、ターンオン期間ＴＬにおいてバックライト源をオンする。このとき３色のバックライト源を同時に低輝度でオンさせる。【選択図】図２
2006085156.tif 000002
【特許請求の範囲】
【請求項１】
カラーシーケンシャル方式ディスプレイを駆動する表示方法であって、
前記ディスプレイの画像を受け取るステップと、
前記画像の輝度を獲得するステップと、
前記ディスプレイを駆動するため前記輝度を使用するステップと、
を含む表示方法。
【請求項２】
前記画像がＲＧＢ領域にある、請求項１記載の表示方法。
【請求項３】
前記獲得するステップが、
前記画像をＹＵＶ画像データへ変換するステップと、
前記ＹＵＶ画像データのＹ成分を前記輝度として使用するステップと、
を含む、請求項１記載の表示方法。
【請求項４】
前記ディスプレイがバックライトとして第１の光源、第２の光源及び第３の光源を使用する、請求項１記載の表示方法。
【請求項５】
前記第１の光源、前記第２の光源及び前記第３の光源を同時にオンにするステップをさらに含む、請求項４記載の表示方法。
【請求項６】
前記第１の光源、前記第２の光源及び前記第３の光源を同時に低輝度でオンにするステップをさらに含む、請求項４記載の表示方法。
【請求項７】
前記第１の光源、前記第２の光源及び前記第３の光源のうちの少なくとも１台をオンにするステップをさらに含む、請求項４記載の表示方法。
【請求項８】
カラーシーケンシャル方式ディスプレイを駆動する表示方法であって、
前記ディスプレイを駆動するため第１の画像の第１の色データ、第２の色データ及び第３の色データを順次に使用することにより前記第１の画像を表示するステップと、
前記ディスプレイを駆動するため第２の画像の第３の色データ、第２の色データ及び第１の色データを順次に使用することにより前記第２の画像を表示するステップと、
を含む表示方法。
【請求項９】
前記ディスプレイがバックライトとして第１の光源、第２の光源及び第３の光源を使用する、請求項８記載の表示方法。
【請求項１０】
前記第１の画像の前記第３の色データによって駆動される表示期間が第１の書き込み期間及び第１のターンオン期間に分割され、前記第２の画像の前記第３の色データによって駆動される表示期間が第２の書き込み期間及び第２のターンオン期間に分割される、請求項９記載の表示方法であって、
前記第１の書き込み期間中に前記第１の画像の前記第３の色データを前記ディスプレイに書き込むステップと、
前記第１のターンオン期間中に前記第３の光源をオンにするステップと、
前記第２の書き込み期間中に前記第２の画像の前記第３の色データを前記ディスプレイに書き込むステップと、
前記第２のターンオン期間中に前記第３の光源をオンにするステップと、
をさらに含む、表示方法。
【請求項１１】
前記第１の画像の前記第３の色データによって駆動される前記表示期間が書き込み期間及びターンオン期間に分割される、請求項９記載の表示方法であって。
前記書き込み期間中に前記第１の画像の前記第３の色データを前記ディスプレイに書き込むステップと、
前記ターンオン期間中に前記第３の光源をオンにするステップと、
前記第１の画像の前記第３の色データの書き込みの後に続いて、前記第２の画像の前記第３の色データを前記ディスプレイに書き込むステップと、
をさらに含む、表示方法。
【請求項１２】
前記ターンオン期間中に、前記第２の画像の前記第３の色データが前記ディスプレイに書き込まれる、請求項１１記載の表示方法。
【請求項１３】
前記第２の光源の輝度が前記第３の光源の輝度よりも低い、請求項１１記載の表示方法。
【請求項１４】
前記第２の光源の前記輝度が前記第３の光源の前記輝度の半分と実質的に等しい、請求項１３記載の表示方法。
【請求項１５】
前記第２の光源のターンオン時間が前記第３の光源のターンオン時間よりも短い、請求項１１記載の表示方法。
【請求項１６】
前記第２の光源の前記ターンオン時間が前記第３の光源の前記ターンオン時間の半分と実質的に等しい、請求項１５記載の表示方法。
【請求項１７】
カラーシーケンシャル方式ディスプレイを駆動する表示方法であって、
前記ディスプレイを駆動するため第１の画像の第２の色データ及び第１の色データを順次に使用することにより前記第１の画像を表示するステップと、
前記ディスプレイを駆動するため第２の画像の第２の色データ及び第３の色データを順次に使用することにより前記第２の画像を表示するステップと、
を含む表示方法。
【請求項１８】
前記ディスプレイがバックライトとして第１の光源、第２の光源及び第３の光源を使用する、請求項１７記載の表示方法。
【請求項１９】
前記第１の画像の前記第１の色データによって駆動される表示期間が第１の書き込み期間及び第１のターンオン期間に分割され、前記第２の画像の前記第２の色データによって駆動される表示期間が第２の書き込み期間及び第２のターンオン期間に分割される、請求項１８記載の表示方法であって、
前記第１の書き込み期間中に前記第１の画像の前記第１の色データを前記ディスプレイに書き込むステップと、
前記第１のターンオン期間中に前記第１の光源をオンにするステップと、
前記第２の書き込み期間中に前記第２の画像の前記第２の色データを前記ディスプレイに書き込むステップと、
前記第２のターンオン期間中に前記第２の光源をオンにするステップと、
をさらに含む、表示方法。
【請求項２０】
前記第２の光源の輝度が前記第１の光源の輝度よりも低い、請求項１９記載の表示方法。
【請求項２１】
前記第２の光源の前記輝度が前記第１の光源の前記輝度の半分と実質的に等しい、請求項２０記載の表示方法。
【請求項２２】
前記第２の光源のターンオン時間が前記第１の光源のターンオン時間よりも短い、請求項１９記載の表示方法。
【請求項２３】
前記第２の光源の前記ターンオン時間が前記第１の光源の前記ターンオン時間の半分と実質的に等しい、請求項２２記載の表示方法。
【請求項２４】
カラーシーケンシャル方式ディスプレイを駆動する表示方法であって、
前記ディスプレイを駆動するため第１の画像の第３の色データ及び第２の色データを順次に使用することにより前記第１の画像を表示するステップと、
前記ディスプレイを駆動するため第２の画像の第１の色データ及び第２の色データを順次に使用することにより前記第２の画像を表示するステップと、
を含む表示方法。
【請求項２５】
前記ディスプレイがバックライトとして第１の光源、第２の光源及び第３の光源を使用する、請求項２４記載の表示方法。
【請求項２６】
前記第１の画像の前記第２の色データによって駆動される表示期間が第１の書き込み期間及び第１のターンオン期間に分割され、前記第２の画像の前記第１の色データによって駆動される表示期間が第２の書き込み期間及び第２のターンオン期間に分割される、請求項２５記載の表示方法であって、
前記第１の書き込み期間中に前記第１の画像の前記第２の色データを前記ディスプレイに書き込むステップと、
前記第１のターンオン期間中に前記第２の光源をオンにするステップと、
前記第２の書き込み期間中に前記第２の画像の前記第１の色データを前記ディスプレイに書き込むステップと、
前記第２のターンオン期間中に前記第１の光源をオンにするステップと、
をさらに含む、表示方法。
【請求項２７】
前記第２の光源の輝度が前記第１の光源の輝度よりも低い、請求項２６記載の表示方法。
【請求項２８】
前記第２の光源の前記輝度が前記第１の光源の前記輝度の半分と実質的に等しい、請求項２７記載の表示方法。
【請求項２９】
前記第２の光源のターンオン時間が前記第１の光源のターンオン時間よりも短い、請求項２６記載の表示方法。
【請求項３０】
前記第２の光源の前記ターンオン時間が前記第１の光源の前記ターンオン時間の半分と実質的に等しい、請求項２９記載の表示方法。
【請求項３１】
電子装置のカラーシーケンシャル方式ディスプレイを駆動する表示方法であって、
前記電子装置が低電力モードであるかどうかを判定するステップと、
前記電子装置が低電力モードではない場合に、
前記ディスプレイを駆動するため第１の画像の第２の色データ及び第１の色データを順次に使用することにより前記第１の画像を表示するステップと、
前記ディスプレイを駆動するため第２の画像の第２の色データ及び第３の色データを順次に使用することにより前記第２の画像を表示するステップと、
を実行するステップと、
を含む表示方法。
【請求項３２】
前記ディスプレイがバックライトとして第１の光源、第２の光源及び第３の光源を使用する、請求項３１記載の表示方法。
【請求項３３】
前記第１の画像の前記第１の色データによって駆動される表示期間が第１の書き込み期間及び第１のターンオン期間に分割され、前記第２の画像の前記第２の色データによって駆動される表示期間が第２の書き込み期間及び第２のターンオン期間に分割される、請求項３２記載の表示方法であって、
前記第１の書き込み期間中に前記第１の画像の前記第１の色データを前記ディスプレイに書き込むステップと、
前記第１のターンオン期間中に前記第１の光源をオンにするステップと、
前記第２の書き込み期間中に前記第２の画像の前記第２の色データを前記ディスプレイに書き込むステップと、
前記第２のターンオン期間中に前記第２の光源をオンにするステップと、
をさらに含む、表示方法。
【請求項３４】
前記第２の光源の輝度が前記第１の光源の輝度の半分と実質的に等しいか、又は、前記第２の光源のターンオン時間が前記第１の光源のターンオン時間の半分と実質的に等しい、請求項３３記載の表示方法。
【請求項３５】
前記電子装置が低電力モードである場合に、
前記第１の画像及び前記第２の画像のそれぞれの輝度を獲得するステップと、
前記ディスプレイを順次に駆動するため、前記第１の画像及び前記第２の画像の前記それぞれの輝度を使用するステップと、
を実行する、請求項３１記載の表示方法。
【請求項３６】
前記第１の画像及び前記第２の画像がＲＧＢ領域にある、請求項３５記載の表示方法。
【請求項３７】
前記獲得するステップが、
前記第１の画像及び前記第２の画像をＹＵＶ画像へそれぞれ変換する工程と、
前記第１の画像の前記ＹＵＶ画像のＹ成分及び前記第２の画像の前記ＹＵＶ画像のＹ成分を前記輝度としてそれぞれに使用する工程と、
を含む、請求項３６記載の表示方法。
【請求項３８】
画素がバックライトとして第１の光源、第２の光源及び第３の光源を使用する、請求項３５記載の表示方法。
【請求項３９】
前記第１の光源、前記第２の光源及び前記第３の光源を同時にオンにするステップをさらに含む、請求項３８記載の表示方法。
【請求項４０】
前記第１の光源、前記第２の光源及び前記第３の光源を同時に低輝度でオンにするステップをさらに含む、請求項３８記載の表示方法。
【請求項４１】
前記第１の光源、前記第２の光源及び前記第３の光源のうちの少なくとも１台をオンにするステップをさらに含む、請求項３８記載の表示方法。
【請求項４２】
電子装置のカラーシーケンシャル方式ディスプレイを駆動する表示方法であって、
前記電子装置が低電力モードであるかどうかを判定するステップと、
前記電子装置が低電力モードではない場合に、
前記ディスプレイを駆動するため第１の画像の第３の色データ及び第２の色データを順次に使用することにより前記第１の画像を表示するステップと、
前記ディスプレイを駆動するため第２の画像の第１の色データ及び第２の色データを順次に使用することにより前記第２の画像を表示するステップと、
を実行するステップと、
を含む表示方法。
【請求項４３】
前記ディスプレイがバックライトとして第１の光源、第２の光源及び第３の光源を使用する、請求項４２記載の表示方法。
【請求項４４】
前記第１の画像の前記第２の色データによって駆動される表示期間が第１の書き込み期間及び第１のターンオン期間に分割され、前記第２の画像の前記第１の色データによって駆動される表示期間が第２の書き込み期間及び第２のターンオン期間に分割される、請求項４３記載の表示方法であって、
前記第１の書き込み期間中に前記第１の画像の前記第２の色データを前記ディスプレイに書き込むステップと、
前記第１のターンオン期間中に前記第２の光源をオンにするステップと、
前記第２の書き込み期間中に前記第２の画像の前記第１の色データを前記ディスプレイに書き込むステップと、
前記第２のターンオン期間中に前記第１の光源をオンにするステップと、
をさらに含む、表示方法。
【請求項４５】
前記電子装置が低電力モードである場合に、
前記第１の画像及び前記第２の画像のそれぞれの輝度を獲得するステップと、
前記ディスプレイを順次に駆動するため、前記第１の画像及び前記第２の画像の前記それぞれの輝度を使用するステップと、
を実行する、請求項４２記載の表示方法。
【発明の詳細な説明】
【関連出願】
【０００１】
本願は、２００４年８月３日に出願され、参照により本明細書にその内容が組み入れられた台湾出願第９３１２３２８０号の優先権を主張する。
【発明の分野】
【０００２】
[0001]本発明は、一般に表示方法に関し、特にカラーシーケンシャル表示方法に関する。
【関連技術の説明】
【０００３】
[0002]近年の表示技術の急速な進歩に伴って、薄型、軽量及び低放射の特色を有する液晶ディスプレイ（ＬＣＤ）が徐々に主流のディスプレイ製品になり始めている。
【０００４】
[0003]マトリクス状に配置された多数の画素を含む液晶パネルは、それぞれの画素の画像データの入力によってフレームを表示するためＬＣＤパネル全体の画素の輝度を制御する。画素は明から暗までの階調しか表示できないので、色を表示するために他の手段が必要になる。
【０００５】
[0004]従来型のＬＣＤは、画素の３原色成分を同時に表示するカラーフィルタによって色を表示する。上記のカラーフィルタの各画素は、赤色フィルタ、緑色フィルタ及び青色フィルタにそれぞれが対応した３台の表示ユニットを含む。フィルタを介して表示された赤色光、緑色光及び青色光は合成され、画素の色は観察者によって知覚される。
【０００６】
[0005]別の従来型のカラーシーケンシャル方式ＬＣＤは、画素の３原色の成分を順次に表示することにより色を表示する。上記のカラーシーケンシャルＬＣＤの各画素は、バックライト源としての３台の光源のそれぞれから赤色光、緑色光及び青色光をそれぞれが放出する表示ユニットを含む。フレーム時間中に、画素は３個のデータを順次に表示し、赤色光源、緑色光源及び青色光源は対応してオンにされる。視覚の残像によって、観察者は画素の色を認識することができる。従来型のカラーシーケンシャル方式ＬＣＤディスプレイの一例は米国特許第５，２６０，６２５号に開示されている。
【０００７】
[0006]カラーフィルタ方式ＬＣＤと比べると、カラーシーケンシャル方式ＬＣＤはカラーフィルタを使用せずに色を表示するので、コスト削減の点で有利である。その上、画素の色を決定するために１個の画素だけを必要とするカラーシーケンシャル表示方法は、ＬＣＤの色を表示するため使用されるとき、解像度を３倍に増加する。
【０００８】
[0007]しかし、カラーシーケンシャル方式は、画像データを画素へ完全に入力するため３回に亘って画像データを画素へ入力することが必要であり、そのために、より高い周波数のパルスを必要とし、その結果としてより多くの電力を消費する。
【０００９】
[0008]これに対して、通常の電子装置は、低電力モードではエネルギー節約を実現するため表示のフレームレートを低下させる。例えば、フレームレートが６０Ｈｚから２０Ｈｚへ、すなわち、毎秒６０フレームの表示から毎秒２０フレームの表示へ低下させられる。しかし、フレームレートが低下するため、従来型のカラーシーケンシャル表示方法によって表示される画像データは、観察者が視覚の残像によってカラーとして知覚することはない。観察者が知覚するのは、赤色、緑色又は青色のフリッカリングである。
【００１０】
[0009]以上の説明からわかるように、ＬＣＤ色を表示するためカラーシーケンシャル表示方法を使用することは、解像度を高める利点があるが、同時に欠点もある。したがって、画像データの伝送のために必要な電力を削減し、カラーシーケンシャル表示方法が低電力モードをサポートできるようにする方法が解決されるべき重要な課題になる。
【発明の概要】
【００１１】
[0010]本発明の目的によれば、画像表示の消費電力を削減し、低電力モードをサポートする利点を備えたカラーシーケンシャル表示方法が提供される。
【００１２】
[0011]したがって、本発明の目的は、電子装置のカラーシーケンシャル方式ディスプレイを駆動する表示方法を提供することである。電子装置が低電力モードではないとき、第１の画像が最初に表示され、第１の画像はディスプレイを駆動するため第１の画像の第２の色データ及び第１の色データを順次に使用する。次に、第２の画像が表示され、第２の画像はディスプレイを駆動するため第２の画像の第２の色データ及び第３の色データを順次に使用する。電子装置が低電力モードであるとき、第１の画像及び第２の画像のそれぞれの輝度が獲得される。最後に、第１の画像及び第２の画像のそれぞれの輝度はディスプレイを駆動するため順次に使用される。
【００１３】
[0012]本発明のその他の目的、特徴及び効果は、以下の好ましいが限定的ではない実施形態の詳細な説明から明らかになる。以下の説明は、添付図面を参照して行われる。
【本発明の詳細な説明】
【００１４】
［第１の実施形態］
[0019]図１を参照すると、従来型のカラーシーケンシャル方式ディスプレイの表示プロセスを表す図が示されている。例えば、第１の画像及び第２の画像を例として挙げる。第１の画像及び第２の画像は、赤色データＲ、緑色データＧ及び青色データＢを含み、第１の画像は第１のフレーム時間ＦＴ１に表示され、第２の画像は第２のフレーム時間ＦＴ２に表示される。ディスプレイは、赤、緑及び青のバックライト源を有する。従来型のカラーシーケンシャル表示方法は、時刻ｔ１からｔ２までの第１のフレーム時間ＦＴ１が時間領域ＴＡ１、ＴＡ２及びＴＡ３に分割され、その３個の時間領域の間に赤色データＲ１、緑色データＧ１及び青色データＢ１を順次に一つ一つ表示する。したがって、観察者は視覚の残像性によって第１のフレーム時間ＦＴ１のカラー画像を認識可能である。
【００１５】
[0020]より厳密に説明すると、第１の画像の赤色データＲ１は、時間領域ＴＡ１の書き込み期間Ｒ１Ｗの間に最初にディスプレイの全画素へ書き込まれる。次に、赤色バックライト源は、赤色データＲ１をディスプレイに表示するため時間領域ＴＡ１のターンオン期間ＲＬの間にオンにされる。同様に、第１の画像の緑色データＧ１は時間領域ＴＡ２の書き込み期間Ｇ１Ｗの間にディスプレイの全画素へ書き込まれる。その後、緑色バックライト源は、時間領域ＴＡ２のターンオン期間ＧＬの間に緑色データＧ１をディスプレイに表示するためオンにされる。第１の画像の青色データＢ１は時間領域ＴＡ３の書き込み期間Ｂ１Ｗの間にディスプレイの全画素へ書き込まれる。その後、青色バックライト源は、時間領域ＴＡ３のターンオン期間ＢＬの間に青色データＢ１をディスプレイに表示するためオンにされる。
【００１６】
[0021]時刻ｔ２から時刻ｔ３までの第２のフレーム時間ＦＴ２は、同様に、３個の時間領域、すなわち、時間領域ＴＢ１、ＴＢ２及びＴＢ３のそれぞれに分割される。第２のフレーム時間ＦＴ２中に第２の画像を表示する方法は、第１のフレーム時間ＦＴ１の間に第１の画像を表示する方法と基本的に同じであり、時間領域ＴＢ１、ＴＢ２及びＴＢ３の間に赤色データＲ２、緑色データＧ２及び青色データＢ２を順次に一つ一つ表示する。
【００１７】
[0022]図２の（Ａ）を参照すると、本発明の第１の実施形態によるカラーシーケンシャル方式ディスプレイの表示プロセスを表す図が示されている。従来型のカラーシーケンシャル表示方法と同様に、本実施形態によるカラーシーケンシャル表示方法も第１のフレーム時間及び第２のフレーム時間をそれぞれ３個の時間領域に分割する。しかし、赤色データＲ、緑色データＲ及び青色データＢのシーケンスに従って第１の画像及び第２の画像を表示する従来型のカラーシーケンシャル表示方法とは異なり、本実施形態のカラーシーケンシャル表示方法は、赤色データＲ、緑色データＲ及び青色データＢの固定した順序に従って第１の画像と第２の画像を表示しない。
【００１８】
[0023]第１の実施形態による表示方法において、第１のフレーム時間ＦＴ１は３個の時間領域ＴＡ１、ＴＡ２及びＴＡ３に分割され、第１の画像の赤色データＲ１、緑色データＧ１及び青色データＢ１は３個の時間領域の間に順次に一つ一つ表示される。第２のフレーム時間ＦＴ２は同様に３個の時間領域、すなわち、時間領域ＴＢ１、ＴＢ２及びＴＢ３にそれぞれ分割されるが、第２の画像の青色データＢ２、緑色データＧ２及び赤色データＲ２は第２の時間フレームＦＴ２の３個の時間領域の間に順次に一つ一つ表示される。
【００１９】
[0024]図２の（Ｂ）を参照すると、本発明の第１の実施形態による別のカラーシーケンシャル表示方法の表示プロセスを表す図が示されている。電子装置が低電力モードであるとき、図２の（Ａ）の代わりに図２の（Ｂ）の表示方法が電子装置のカラーシーケンシャル方式ディスプレイを駆動するため使用される。図２の（Ｂ）の表示方法は、最初に表示されるべき画像の輝度を獲得し、それに応じてディスプレイを駆動するため画像の輝度を使用する。
【００２０】
[0025]すなわち、電子装置が低電力モードであり、第１のフレーム時間ＦＴ１の間に第１の画像を表示しようとするとき、例えば、ＲＧＢ領域における第１の画像はＹＵＶ画像データへ変換され、ＹＵＶ画像データのＹ成分を輝度として使用して第１のフレーム時間ＦＴ１の書き込み期間Ｙ１Ｗの間にディスプレイの全画素へ書き込まれ、その後に、バックライト源が第１の画像の輝度をディスプレイに表示させるため第１のフレーム時間ＦＴ１のターンオン期間ＴＬの間にオンにされる。ＲＧＢ領域からＹＵＶ領域へ画像データを変換する方法において、第１のフレーム時間ＦＴ１のターンオン期間ＴＬの間にバックライト源をオンにするモードは、必要なエネルギー節約レベルに応じてバックライト源をオンにするため種々のターンオンモードを使用する。例えば、赤色バックライト源、緑色バックライト源及び青色バックライト源を同時にオンにし、３台のバックライト源を低輝度でオンにし、３台のバックライト源のうちの少なくとも１台をオンにし、又は、バックライト源をオンにしない。このようにすることによって、第１の実施形態の表示方法は低電力モードをサポートすることができる。
【００２１】
［第２の実施形態］
[0026]図３の（Ａ）を参照すると、本発明の第２の実施形態によるカラーシーケンシャル表示方法の表示プロセスを表す図が示されている。従来型のカラーシーケンシャル表示方法と比べると、第２の実施形態のカラーシーケンシャル表示方法は、第１のフレーム時間ＦＴ１及び第２のフレーム時間ＦＴ２のそれぞれを２個の時間領域に分割する。時間領域ＴＡ１及びＴＡ２に分割された第１のフレーム時間ＦＴ１は、２個の時間領域の間に第１の画像の緑色データＧ１及び赤色データＲ１を順次に一つ一つ表示する。時間領域ＴＢ１及びＴＢ２に分割された第２のフレーム時間ＦＴ２は、２個の時間領域の間に第２の画像の緑色データＧ２及び青色データＢ２を順次に一つ一つ表示する。
【００２２】
[0027]すなわち、第１の画像の緑色データＧ１は、時間領域ＴＡ１の書き込み期間Ｇ１Ｗの間に最初にディスプレイの全画素へ書き込まれ、その後に、緑色バックライト源が時間領域ＴＡ１のターンオン期間ＧＬの間に緑色データＧ１をディスプレイに表示するためオンにされる。第１の画像の赤色データＧ１は時間領域ＴＡ２の書き込み期間Ｒ１Ｗの間にディスプレイの全画素へ書き込まれ、その後に、赤色バックライト源が時間領域ＴＡ２のターンオン期間ＲＬの間に赤色データＲ１をディスプレイに表示するためオンにされる。第２の画像の緑色データＧ２は時間領域ＴＢ１の書き込み期間Ｇ２Ｗの間にディスプレイの全画素へ書き込まれ、その後に、緑色バックライト源が時間領域ＴＢ１のターンオン期間ＧＬの間に緑色データＧ２をディスプレイに表示するためオンにされる。第２の画像の青色データＢ２は時間領域ＴＢ２の書き込み期間Ｂ２Ｗの間にディスプレイの全画素へ書き込まれ、その後に、青色バックライト源が時間領域ＴＢ２のターンオン期間ＢＬの間に青色データＢ２をディスプレイに表示するためオンにされる。
【００２３】
[0028]３個の色データの中で、フレーム時間中に、２個の色データだけが第２の実施形態の表示方法において表示され、それによって、画像を伝送するための電力を削減する。例えば、図２の（Ａ）を参照すると、第１の実施形態では、ディスプレイは、２個の色データ、すなわち、第１の画像の青色データＢ１と第２の画像の青色データＢ２を順次に表示する。２個の色データは隣接フレームにあるので、差が小さい。２個の色データの両方はバックライトとして青色バックライト源を使用するので、２個の順次色データのうちの２番目のデータは第２の実施形態では画質を低下させることなく除外される。さらに、消費電力は効果的に削減され得る。図３の（Ａ）に示されるように、第１の画像の赤色データＲ１だけがディスプレイの全画素へ書き込まれ、第２の画像の赤色データＲ２は時間領域ＴＡ２の書き込み期間Ｒ１Ｗの間に除外され、その後、赤色バックライト源が時間領域ＴＡ２のターンオン期間ＲＬの間に赤色データＲ１をディスプレイに表示するためオンにされる。
【００２４】
[0029]第２の実施形態の表示方法によれば、緑色バックライト源は、赤色バックライト源及び青色バックライト源の２倍の回数に亘ってオンにされる。表示内容を完全に保つために、ディスプレイの３色のバックライト源は好ましくはそれに応じて調節される。例えば、緑色バックライト源の輝度は赤色バックライト源及び青色バックライト源の半分になるように調節される。すなわち、赤色バックライト源の輝度と緑色バックライト源の輝度と青色バックライト源の輝度との間の比が２：１：２となるように調節され、又は、図４に示されるように、時間領域ＴＡ１及びＴＢ１のターンオン期間ＧＬは時間領域ＴＡ２のターンオン期間ＲＬ及び時間領域ＴＢ２のターンオン期間ＢＬの半分になるように調節される。すなわち、赤色バックライト源のターンオン期間と緑色バックライト源のターンオン期間と青色バックライト源のターンオン期間との間の比が２：１：２になるように調節される。
【００２５】
[0030]上記の開示からわかるように、第２の実施形態のカラーシーケンシャル表示方法は、第１のフレーム時間ＦＴ１と第２のフレーム時間ＦＴ２を問わず、２個の色データだけを表示し、伝送されるべき色データの個数を効果的に削減するだけでなく、画像を伝送するための電力を削減する。
【００２６】
[0031]図３の（Ａ）を参照すると、第２の実施形態の表示方法は、赤色データＲ１及び赤色データＲ２を表示するため、赤色データＲ１が時間領域ＴＡ２のターンオン期間ＲＬの間に書き込み期間Ｒ１Ｗへ書き込まれた後、書き込み期間Ｒ２Ｗに書き込まれた第２の画像の赤色データＲ２を保持する。その結果として、第２の画像の色データはより完全になる。注意すべきことは、赤色データＲ２が書き込まれた書き込み期間Ｒ２Ｗは必ずしも書き込み期間Ｒ１Ｗの直後でなくてもよく、時間間隔が許容されることである。その上、書き込み期間Ｒ２Ｗはターンオン期間ＲＬで始まる必要がなく、それよりも早く開始することが許容される。
【００２７】
［第３の実施形態］
[0032]図３の（Ｂ）を参照すると、本発明の第３の実施形態によるカラーシーケンシャル方式ディスプレイの表示プロセスを表す図が示されている。図３の（Ｂ）は第２の実施形態の変形であり、第２の実施形態と同じ要素はここでは繰り返されない。図３の（Ｂ）に示すように、時間領域ＴＢ１の書き込み期間Ｒ２Ｗの間に、第２の画像の赤色データＲ２だけがディスプレイの全画素へ書き込まれ、第１の画像の赤色データＲ１は除外される。その後、時間領域ＴＢ１のターンオン期間ＲＬの間に、赤色バックライト源が赤色データＲ２をディスプレイに表示するためオンにされる。簡単に説明すると、第２の実施形態は赤色データＲ２を除外し、第３の実施形態はその代わりに元の順次表示データＢ１、Ｇ１、Ｒ１、Ｒ２、Ｇ２、Ｂ２から赤色データＲ１を除外する。
【００２８】
[0033]これに対して、第２の実施形態又は第３の実施形態では、電子装置が低電力モードであるとき、図３の（Ａ）、図３の（Ｂ）又は図４の表示方法は何れも電子装置のカラーシーケンシャル方式ディスプレイを駆動するため使用されない。表示されるべき画像の輝度が最初に獲得され、その後、画像の輝度がディスプレイを駆動するため使用される。電子装置が低電力モードであるとき、第２の実施形態又は第３の実施形態のカラーシーケンシャル表示方法は図２の（Ｂ）と類似しているので、ここでは繰り返されない。上記の開示からわかるように、第２の実施形態又は第３の実施形態の表示方法は低電力モードをさらにサポートする。
【００２９】
[0034]本発明の上記の実施形態において開示された表示方法は、画像表示の消費電力を削減し、低電力モードをサポートするという利点がある。
【００３０】
[0035]本発明は、一例として、好ましい実施形態の観点から記載されているが、本発明はそれらに限定されないことが認められるべきである。それどころが、種々の変形、並びに、類似した配置及び手順に及ぶことが意図され、したがって、特許請求の範囲は、このような変形、並びに、類似した配置及び手続の全てを包含するように、最広義の解釈で認められるべきである。
【図面の簡単な説明】
【００３１】
【図１】従来型のカラーシーケンシャル方式ディスプレイの表示プロセスを示す図である。
【図２】（Ａ）は本発明の第１の実施形態によるカラーシーケンシャル方式ディスプレイの表示プロセスを示す図であり、（Ｂ）は本発明の第１の実施形態による別のカラーシーケンシャル方式ディスプレイの表示プロセスを示す図である。
【図３】（Ａ）は本発明の第２の実施形態によるカラーシーケンシャル方式ディスプレイの表示プロセスを示す図であり、（Ｂ）は本発明の第３の実施形態によるカラーシーケンシャル方式ディスプレイの表示プロセスを示す図である。
【図４】本発明の第２の実施形態による別のカラーシーケンシャル方式ディスプレイの表示プロセスを示す図である。
【符号の説明】
【００３２】
ＦＴ１…第１のフレーム時間、ＦＴ２…第２のフレーム時間、ＴＡ１，ＴＡ２，ＴＡ３，ＴＢ１，ＴＢ２，ＴＢ３…時間領域、ＲＬ，ＧＬ，ＢＬ…ターンオン期間、ｔ１，ｔ２，ｔ３…時刻、Ｒ１Ｗ，Ｇ１Ｗ，Ｂ１Ｗ，Ｒ２Ｗ，Ｇ２Ｗ，Ｂ２Ｗ…書き込み期間。
【図１】
2006085156.tif 000003
【図２】
2006085156.tif 000004
【図３】
2006085156.tif 000005
【図４】
2006085156.tif 000006
【外国語明細書】
2006085156000001.pdf